(57)【特許請求の範囲】
【請求項１】
クレーンの伸縮式ジブに設けられたワイヤガイド格納装置であって、先端ジブの次段のジブ先端に設けられた取付板と、前記取付板に回転自在に取り付けられたワイヤガイドと、その一端が前記取付板に回転自在に取り付けられ、他端が前記ワイヤガイドに取り付けられた一体の、または連結されたリンクからなる案内板と、先端ジブの先端に設けられた押し込み部と、前記押し込み部より後方位置の先端ジブに設けられた押し戻し部とを具備し、先端ジブが伸張状態から収縮して格納状態に近づくと、前記押し込み部が案内板の下端を後方に押し込み、前記案内板が回転して、ワイヤガイドが起立状態から伏せた状態になり、先端ジブが格納状態から伸張すると、前記押し戻し部が前記案内板下端を押し戻して、ワイヤガイドが伏せた状態から起立した状態になることを特徴とするワイヤガイド格納装置。
【請求項２】
クレーンの伸縮式ジブに設けられたワイヤガイド格納装置であって、先端ジブの次段のジブ先端に設けられた取付板と、前記取付板に回転自在に取り付けられたワイヤガイドと、前記ワイヤガイドに取り付けられたリンクと、先端ジブの先端に設けられた押し込み部と、前記ワイヤガイドと前記取付板との間に設けられ、前記ワイヤガイドが起立する方向に収縮力が働くバネとを具備し、先端ジブが伸張状態から収縮して格納状態に近づくと、前記押し込み部が前記リンクの下端を後方に押し込み、前記リンクが回転して、ワイヤガイドが起立状態から伏せた状態になり、先端ジブが格納状態から伸張すると、前記押し込み部が前記案内板下端から離れて、前記バネによりワイヤガイドが伏せた状態から起立した状態になることを特徴とするワイヤガイド格納装置。
【発明の詳細な説明】
【０００１】
【発明の属する技術分野】
本発明はクレーンのブーム先端部に取り付けられる伸縮式ジブのワイヤガイドを格納する装置に関するものである。
【０００２】
【従来の技術】
クレーンのブーム先端部に取り付けられる伸縮式ジブには、ジブが伸縮したときにワイヤがはずれないようにするためワイヤガイド１０が取り付けられている（図５参照）。このワイヤガイドは、ジブをクレーンのブーム先端に取り付けて作業を行う場合には、図５のように起立した状態である。ところがクレーン作業が終了しジブをブーム側部あるいはブーム下部に格納した状態においても、図６に示すようにワイヤガイドが起立したままでは、作業員が車体上を通行するのに支障が生じるし、何かにぶつかってワイヤガイドが破損するおそれがあった。
そのため、ジブを格納する際にはワイヤガイドをジブと平行となる状態に伏せるようにできる手動の起伏式のものがあった（第７図参照）。
【０００３】
【課題を解決するための手段】
従来の起伏式ワイヤガイドは手動によってその起伏状態を変えていたため、ジブ格納時にワイヤガイドを伏せた状態にするのを忘れ、起立したままにしていてワイヤガイドが破損したり、作業員の通行の支障となることがあった。
そこで本発明は多段ジブが伸張状態から収縮して格納状態となるときにワイヤガイドが自動的に起立状態から伏せた状態となるワイヤガイド格納装置を提供することを目的とする。
【０００４】
すなわち請求項１記載の発明は、クレーンの伸縮式ジブに設けられたワイヤガイド格納装置であって、先端ジブの次段のジブ先端に設けられた取付板と、前記取付板に回転自在に取り付けられたワイヤガイドと、その一端が前記取付板に回転自在に取り付けられ、他端が前記ワイヤガイドに取り付けられた一体の、または連結されたリンクからなる案内板と、先端ジブの先端に設けられた押し込み部と、前記押し込み部より後方位置の先端ジブに設けられた押し戻し部とを具備し、先端ジブが伸張状態から収縮して格納状態に近づくと、前記押し込み部が案内板の下端を後方に押し込み、前記案内板が回転して、ワイヤガイドが起立状態から伏せた状態になり、先端ジブが格納状態から伸張すると、前記押し戻し部が前記案内板下端を押し戻して、ワイヤガイドが伏せた状態から起立した状態になることを特徴とするものである。
【０００５】
次に請求項２記載の発明は、クレーンの伸縮式ジブに設けられたワイヤガイド格納装置であって、先端ジブの次段のジブ先端に設けられた取付板と、前記取付板に回転自在に取り付けられたワイヤガイドと、前記ワイヤガイドに取り付けられたリンクと、先端ジブの先端に設けられた押し込み部と、前記ワイヤガイドと前記取付板との間に設けられ、前記ワイヤガイドが起立する方向に収縮力が働くバネとを具備し、先端ジブが伸張状態から収縮して格納状態に近づくと、前記押し込み部が前記リンクの下端を後方に押し込み、前記リンクが回転して、ワイヤガイドが起立状態から伏せた状態になり、先端ジブが格納状態から伸張すると、前記押し込み部が前記案内板下端から離れて、前記バネによりワイヤガイドが伏せた状態から起立した状態になることを特徴とするものである。
【０００６】
【発明の実施の形態】
（実施例１）
次に図面に基づいて本発明の実施例の説明をする。図１は実施例１の側面図であり、図２は正面図である。図１，２において１０はワイヤガイド、２０はワイヤガイド取付板であり、ワイヤガイド１０は取付板２０にピン１１で回転自在に取り付けられている。
【０００７】
ワイヤガイド１０と取付板２０とはバネ１３で連結されており、図１に示す先端ジブが引き出された状態では、バネ１３の収縮力により、ワイヤガイド１０がジブに対して起立するようになっている。取付板２０の外側には案内板３０が取付板のピン２１を介して取付板２０に取り付けられており、案内板３０の先端には縦長の孔３１が設けられており、この孔３１にワイヤガイドの突起物１２がはまるようになっている。また案内板３０の下端にはピン３２が設けられている。
【０００８】
そして、先端ジブの上面先端側にはＬ字型の押し込み部４０が設置されている。次にこのような実施例において先端ジブを格納する際にワイヤガイド１０がどのような動作をするかについて説明する。
【０００９】
図１はジブ先端部が引き出されている状態を示しており、この時ワイヤガイド１０はバネ１３の収縮力によってジブに対して直立している。先端ジブが収縮すると押し込み部４０が案内板下端のピン３２に近づき、もっとジブが収縮すると押し込み部４０が案内板下端のピン３２に当接する。さらに先端ジブが収縮すると、押し込み部４０は案内板３０の下端を図１の左方向に押すので案内板３０はピン２１を支点として回転する。
【００１０】
そうすると案内板３０上端の孔３１にワイヤガイドの突起物１２が取り付けられているのでワイヤガイド１０はバネ１３の収縮力に抗して図１で右方向に回転する。
【００１１】
図１に示すようにバネ１３の収縮力の作用線がピン１１の左側にある場合にはワイヤガイド１０にはバネ１３によって元の起立位置へ戻ろうとする力が働くが、バネ１３の収縮力の作用線がピン１１の上にくると（図３に示す状態）、中立状態となり、さらに先端ジブが引っ込むとバネ１３の収縮力によりワイヤガイド１０は一気に図４に示す伏せた状態となる。
【００１２】
このようにして先端ジブが収縮すると、先端ジブに取り付けられた押し込み部４０が案内板下端のピン３２を押し、案内板３０を介してワイヤガイド１０が回転して、直立状態から倒れた状態となる。実施例１では先端ジブが収縮すると、自動的にワイヤガイドが直立状態から倒れた状態となるが、その状態から先端ジブが伸びていってもワイヤガイドは伏せたままである。そこで手動でワイヤガイドを起立状態とする必要がある。
【００１３】
（実施例２）
これに対して以下に述べる実施例２では、先端ジブの収縮・伸長によって自動的にワイヤガイドが起伏する。実施例２が実施例１と異なる点は図８に示すように、押し込み部４０よりジブの根本側に押し戻し部４１が設けられている点である。この押し戻し部４１は図８（ａ）に示すように、押し込み部４０より高さが低くなっており、先端ジブが収縮する際には案内板下端のピン３２と接触せず、案内板１０を時計方向に回転させることはない。
【００１４】
しかし、図８（ｂ）に示すジブ先端部が完全に収縮し、ワイヤガイドが伏せた状態から、先端ジブが伸長していくと、押し戻し部４１が案内板３０下端のピン３２をバネ１３の力に抗して左から右に押し、中立状態を経て、バネ１３の収縮力により、ワイヤガイド１０が起立状態となる。
【００１５】
（他の実施例）
次に図９を基に他の実施例について説明する。
図９（ａ）は案内板が二つのリンク５０と６０により構成されていてワイヤガイド１０と取付板２０との間にバネがないものである。この装置では先端ジブが伸びきった状態で、先端ジブの根本部に設けられた押し戻し部４１がリンク６０の下端のピン６１をジブの先端側に押すので、ワイヤガイド１０が図９（ａ）のように起立する。先端ジブを収縮して格納状態にすると、先端ジブの先端に設けられた押し込み部４０がリンク６０のピン６１をジブの後方に押すので、ワイヤガイド１０が伏せた状態となる。
【００１６】
図９（ｂ）は図９（ａ）のものの変形例である。リンク７０は幅広であってその下端が先端ジブの上面よりも下に来るようになっていて、先端ジブ側面の根本部に押し戻し部４２が設けられている。ジブが伸びきった状態となると、押し戻し部４２がリンク７０の下端をジブの先端側に押すのでワイヤガイド１０が起立する。
【００１７】
図９（ｃ）はリンク８０が直接ワイヤガイド１０に固定されていて、ワイヤガイド１０がバネ１３によって起立状態になるように引っ張られているものである。
この実施例では、先端ジブが伸張した状態では、バネ１３の収縮力により、ワイヤガイド１０は起立状態となっている。先端ジブが収縮して格納状態となると、先端ジブの先端に設けられた押し込み部４０がリンク８０の下端を押すので、ワイヤガイド１０が伏せた状態となる。
【００１８】
本発明に係る請求項１及び２記載のワイヤガイド格納装置はジブが収縮して格納状態に近づくと、先端側ジブに設けた押し込み部が案内板又はリンクを押し込むため、ワイヤガイドが回転し、自動的にワイヤガイドが起立状態から伏せた状態となる。そのため、ジブが格納されたときにワイヤガイドが作業員の作業の支障となることなく、またワイヤガイドが破損するおそれもない。それに加え、ジブを伸張して作業する場合でも、自動的にワイヤガイドが伏せた状態から起立状態となるため、作業効率がよい。
【図面の簡単な説明】
【図１】本発明に係るワイヤガイド格納装置の実施例１（側面図）を示す図である。
【図２】図１の正面図である。
【図３】実施例１の格納時の作動状態を示す図である。
【図４】実施例１の格納時の作動状態を示す図である。
【図５】ワイヤガイドの役割を説明するための図である。
【図６】従来のワイヤガイドつきジブが格納された状態を示す図である。
【図７】従来のワイヤガイドを示す図である。
【図８】実施例２の格納時の作動状態を示す図である。
【図９】他の実施例の作動状態を示す図である。
【符号の説明】
１０          ワイヤガイド
１１          ピン
１２          突起物
１３          バネ
２０          ワイヤガイド取付板
２１          ピン
３０          案内板
３１          ワイヤガイドの突起物を案内する孔
３２          案内板下端のピン
４０          押し込み部
４１          押し込み部４０より後端側の押し戻し部
４２          押し込み部４０より後端側の押し戻し部
５０          リンク
６０          リンク
６１          ピン
７０          リンク
８０          リンク
【図１】
0004158869.tif 000002
【図２】
0004158869.tif 000003
【図３】
0004158869.tif 000004
【図４】
0004158869.tif 000005
【図５】
0004158869.tif 000006
【図６】
0004158869.tif 000007
【図７】
0004158869.tif 000008
【図８】
0004158869.tif 000009
【図９】
0004158869.tif 000010